【手続補正書】
【提出日】平成25年6月12日(2013.6.12)
【手続補正１】
【補正対象書類名】明細書
【補正対象項目名】発明の名称
【補正方法】変更
【補正の内容】
【発明の名称】電子機器
【手続補正２】
【補正対象書類名】明細書
【補正対象項目名】０００１
【補正方法】変更
【補正の内容】
【０００１】
本発明は、例えば、デジタルカメラやデジタルビデオカメラ等の電子機器に関する。
【手続補正３】
【補正対象書類名】明細書
【補正対象項目名】０００７
【補正方法】変更
【補正の内容】
【０００７】
そこで、本発明は、使用時等に装置本体を手等で把持したユーザに熱による違和感を与えることなく、装置本体の内部の熱源で発生した熱を効率よく拡散させて装置本体の内部での局所的な温度上昇を抑えることができる電子機器を提供することを目的とする。
【手続補正４】
【補正対象書類名】明細書
【補正対象項目名】０００８
【補正方法】変更
【補正の内容】
【０００８】
上記目的を達成するために、本発明の電子機器は、機器本体の外装を形成する外装カバーを備え、前記機器本体は、一端にグリップ部を有すると共に内部に熱源を有する電子機器であって、前記機器本体の内部に配置され、動作時に発熱する第１の回路部と、前記グリップ部において前記機器本体の内部に配置される第１の蓄熱部材と、前記第１の回路部と前記第１の蓄熱部材とを熱接続する第１の伝熱部材と、前記機器本体の内部に配置され、動作時に発熱する第２の回路部であって、発熱量が前記第１の回路部よりも大きい第２の回路部と、前記グリップ部の反対側において前記機器本体の内部に配置される第２の蓄熱部材と、前記第２の回路部と前記第２の蓄熱部材とを熱接続する第２の伝熱部材とを備え、前記第１の回路部から前記第１の伝熱部材を介して前記第１の蓄熱部材までの第１の熱伝導経路と、前記第２の回路部から前記第２の伝熱部材を介して前記第２の蓄熱部材までの第２の熱伝導経路とは、互いに分離されていることを特徴とする。
【手続補正５】
【補正対象書類名】明細書
【補正対象項目名】００１０
【補正方法】変更
【補正の内容】
【００１０】
【図１】本発明の実施形態に係る電子機器としてのデジタルカメラを正面側から見た斜視図である。
【図２】図１に示すデジタルカメラのレンズ鏡筒が撮影位置に繰り出し、ストロボ装置が開いた状態を示す斜視図である。
【図３】図１に示すデジタルカメラを背面側から見た斜視図である。
【図４】図１に示すデジタルカメラから正面側及び背面側の外装カバー、表示部及び操作ボタン群等を取り外した状態を示す斜視図である。
【図５】図４の状態から上面側の外装カバー、レンズ鏡筒、モードダイヤル、ズームダイアル、レリーズボタン、ストロボ装置等を取り外した状態を示す斜視図である。
【図６】図４を背面側から見た斜視図である。
【図７】図５を背面側から見た斜視図である。
【図８】図１に示すデジタルカメラのグリップ部側の断面図である。
【図９】図１に示すデジタルカメラのストロボ装置側の断面図である。
【手続補正６】
【補正対象書類名】明細書
【補正対象項目名】００１２
【補正方法】変更
【補正の内容】
【００１２】
図１は本発明の電子機器の実施形態の一例であるデジタルカメラを正面側から見た斜視図、図２は図１に示すデジタルカメラのレンズ鏡筒が撮影位置に繰り出し、ストロボ装置が開いた状態を示す斜視図である。
【手続補正７】
【補正対象書類名】明細書
【補正対象項目名】００１９
【補正方法】変更
【補正の内容】
【００１９】
蓄熱部材９の背面側には、メイン基板１７が配置されており、メイン基板１７には、デジタルカメラの駆動時に熱源となる電源回路部１７−１（第１の回路部）が実装されている。電源回路部１７−１には、熱伝導率の高い銅等で形成された伝熱板１０の一端が弾性を有する不図示の熱伝導シートを介して熱接続され、伝熱板１０の他端は、蓄熱部材９に熱接続されている。これにより、電源回路部１７−１で発生した熱は伝熱板１０を介して熱容量の大きい蓄熱部材９に伝導して拡散され、この結果、グリップ部８の内部に配置された電源回路部１７−１での局所的な温度上昇を抑えることができる。ここで、電源回路部１７−１からグリップ８側の蓄熱部材９までの熱伝導経路が第１の熱伝導経路に相当する。
【手続補正８】
【補正対象書類名】明細書
【補正対象項目名】００２０
【補正方法】変更
【補正の内容】
【００２０】
蓄熱部材１１は、レンズ鏡筒２や表示部６等を保持するシャーシの役割を果たす伝熱板１６に一体に固定（熱接続）されており、伝熱板１６は、アルミニウム等の熱伝導率が高い板材で形成されている。伝熱板１６の正面側中央部には、デジタルカメラの駆動時に熱源となるＣＣＤセンサ等の撮像素子１４（第２の回路部）が配置されている。
【手続補正９】
【補正対象書類名】明細書
【補正対象項目名】００２１
【補正方法】変更
【補正の内容】
【００２１】
撮像素子１４は、伝熱板１８に固定されており、伝熱板１８は、弾性を有する不図示の熱伝導シートを介して伝熱板１９に熱接続され、伝熱板１９は、蓄熱部材１１に固定（熱接続）されている。これにより、撮像素子１４で発生した熱は伝熱板１８及び伝熱板１９を介して熱容量の大きい蓄熱部材１１に伝導して拡散され、この結果、撮像素子１４での局所的な温度上昇を抑えることができる。ここで、撮像素子１４から伝熱板１８および１９を介して蓄熱部材１１までの熱伝導経路が、第２の熱伝導経路に相当する。
【手続補正１０】
【補正対象書類名】明細書
【補正対象項目名】００２３
【補正方法】変更
【補正の内容】
【００２３】
エンジン部１５は、弾性を有する不図示の熱伝導シートを介して伝熱板１６に接続されている。これにより、エンジン部１５で発生した熱は、伝熱板１６を介して該伝熱板１６に一体に固定（熱接続）された熱容量の大きい蓄熱部材１１に伝導して拡散され、この結果、エンジン部１５での局所的な温度上昇を抑えることができる。ここで、画像処理部１５から伝熱板１６を介して蓄熱部材１１までの熱伝導経路が、第３の熱伝導経路に相当する。
【手続補正１１】
【補正対象書類名】明細書
【補正対象項目名】００３２
【補正方法】変更
【補正の内容】
【００３２】
又、本実施形態では、電源回路部１７−１からグリップ部８側の蓄熱部材９までの第１の熱伝導経路と、撮像素子１４からストロボ装置１２側の蓄熱部材１１までの第２の熱伝導経路とは互いに分離されている。そして、電源回路部１７−１からグリップ部８側の蓄熱部材９までの第１の熱伝導経路と、画像処理部１５からストロボ装置１２側の蓄熱部材１１までの第３の熱伝導経路とは互いに分離されている。このため、カメラ本体１の内部の熱源で発生した熱をより効果的に拡散させることができる。
【手続補正１２】
【補正対象書類名】特許請求の範囲
【補正対象項目名】全文
【補正方法】変更
【補正の内容】
【特許請求の範囲】
【請求項１】
機器本体の外装を形成する外装カバーを備え、前記機器本体は、一端にグリップ部を有すると共に内部に熱源を有する電子機器であって、
前記機器本体の内部に配置され、動作時に発熱する第１の回路部と、
前記グリップ部において前記機器本体の内部に配置される第１の蓄熱部材と、
前記第１の回路部と前記第１の蓄熱部材とを熱接続する第１の伝熱部材と、
前記機器本体の内部に配置され、動作時に発熱する第２の回路部であって、発熱量が前記第１の回路部よりも大きい第２の回路部と、
前記グリップ部の反対側において前記機器本体の内部に配置される第２の蓄熱部材と、
前記第２の回路部と前記第２の蓄熱部材とを熱接続する第２の伝熱部材とを備え、
前記第１の回路部から前記第１の伝熱部材を介して前記第１の蓄熱部材までの第１の熱伝導経路と、前記第２の回路部から前記第２の伝熱部材を介して前記第２の蓄熱部材までの第２の熱伝導経路とは、互いに分離されていることを特徴とする電子機器。
【請求項２】
前記機器本体の内部に配置され、動作時に発熱する第３の回路部と、前記第３の回路部と前記第２の蓄熱部材とを熱接続する第３の伝熱部材とを備え、前記第１の回路部から前記第１の伝熱部材を介して前記第１の蓄熱部材までの第１の熱伝導経路と、前記第３の回路部から前記第３の伝熱部材を介して前記第２の蓄熱部材までの第３の熱伝導経路とは、互いに分離されていることを特徴とする請求項１に記載の電子機器。
【請求項３】
前記第２の回路部は前記第３の伝熱部材に熱接続されず、前記第３の回路部は前記第２の伝熱部材に熱接続されないことを特徴とする請求項１又は２に記載の電子機器。
【請求項４】
前記第２の蓄熱部材と前記グリップ部の反対側における前記装置本体の外装カバーの内面との間の距離が、前記第１の蓄熱部材と前記グリップ部における前記装置本体の外装カバーの内面との間の距離より短いことを特徴とする請求項１乃至３のいずれか１項に記載の電子機器。
【請求項５】
前記第１の蓄熱部材と前記グリップ部における前記装置本体の外装カバーの内面との間に、前記第１の蓄熱部材より熱伝導率の低い部材が前記外装カバーの内面に当接した状態で配置されることを特徴とする請求項１乃至４のいずれか１項に記載の電子機器。
【請求項６】
前記熱伝導率の低い部材は、前記第１の蓄熱部材に関して前記装置本体の内側に配置された電池収納部の壁部の一部を構成し、当該壁部の一部は、前記第１の蓄熱部材に形成されたスリットを挿通して前記外装カバーの内面に向けて突出することを特徴とする請求項５記載の電子機器。